(57)【要約】【課題】香りが付与された着物・浴衣等の和服を提供すること。【解決手段】着物や浴衣等の和服を製造するための反物の製造方法であって、生地を台に地張りをする地張り工程と、前記地張り工程後、前記台の上の前記白生地の上に型を置き、前記型の上から前記生地に対して、香り成分を付与した色糊を塗付し、染色することにより模様を付し、かつ、香りづけをする型染め工程及び香りづけ工程と、前記型染め工程及び前記香りづけ工程後、前記型で染色した部分に糊を被せる糊伏せ工程と、前記糊伏せ工程によって糊伏せされた部分以外の部分の前記生地を染める引き染め工程と、前記引き染め工程後、前記生地に対して高温の蒸気を当てる蒸し工程と、前記蒸し工程後、前記生地を水洗いする水元工程と、を含む反物の製造方法を提供する。【選択図】図５
2019070223.tif 000002
【特許請求の範囲】
【請求項１】
着物や浴衣等の和服を製造するための反物の製造方法であって、
生地を台に地張りをする地張り工程と、
前記地張り工程後、前記台の上の前記白生地の上に型を置き、前記型の上から前記生地に対して、香り成分を付与した色糊を塗付し、染色することにより模様を付し、かつ、香りづけをする型染め工程及び香りづけ工程と、
前記型染め工程及び前記香りづけ工程後、前記型で染色した部分に糊を被せる糊伏せ工程と、
前記糊伏せ工程によって糊伏せされた部分以外の部分の前記生地を染める引き染め工程と、
前記引き染め工程後、前記生地に対して高温の蒸気を当てる蒸し工程と、
前記蒸し工程後、前記生地を水洗いする水元工程と、を含む反物の製造方法。
【請求項２】
前記型染め工程及び前記香りづけ工程に用いられる色糊に対する香り成分のあり合いが、１５質量％以上３０質量％以下である請求項１記載の反物の製造方法。
【請求項３】
前記香り成分が、カカオパウダー、果汁又はバニラエッセンスである請求項１又は２記載の反物の製造方法。
【請求項４】
請求項１、２又は３記載の反物の製造方法を用いた着物や浴衣等の和服の製造方法。
【発明の詳細な説明】
【技術分野】
【０００１】
本発明は、着物や浴衣等の和服及びその反物に関する。
【背景技術】
【０００２】
着物や浴衣等の和服は、日本人が昔から着用している衣服であるが、近年、着用の困難さ等から、一部の業界を除いて、着物離れが進んでいる。
【０００３】
そのため、着物を着用してもらうために、新しい着物を提供する必要がある。
【０００４】
近年、においに対する意識の高まりから、衣類によい香りを長期間残すことが求められてきており、衣料用洗浄剤や仕上げ剤などの繊維製品処理剤を用いる残香性を付与する技術の開発が行われている。
【０００５】
しかし、衣類に長期間残る香りは、揮散性が乏しく重厚な香りの香料成分が主であり、さわやかな香りや華やかな香りを持続させることは出来なかった。
【０００６】
さらに、重厚な香りの香料成分も乾燥機やアイロンといった熱が加わる工程を経ると揮発してしまい、香りを残すことが出来なかった。
【０００７】
特許文献１では、繊維製品に維持性の香りを付与する繊維製品処理方法が記載されている。
【０００８】
具体的には、（ａ）一般式（１）で表される化合物及び（ｂ）非イオン界面活性剤を含有する繊維製品処理剤組成物で繊維製品を処理するＡ工程、及びＡ工程で処理された繊維製品を加熱処理するＢ工程を含む、繊維製品に維持性の香りを付与する繊維製品処理方法が記載されている。
【０００９】
【化１】
2019070223.tif 000003
【００１０】
また、特許文献２では、芳香成分の効率的揮散性に優れ、且つ芳香効果の持続性に優れた複合短繊維が記載されている。
【００１１】
具体的には、鞘部がポリエステルからなり、芯部に精油が０．１〜５．０重量％配合された芯鞘型複合短繊維において、該芯部と鞘部との間には下記を満足する不連続孔を形成するものが記載されている。
（１） 平均不連続孔発生率Ｈ（％）：２０〜８０
（２） 平均空孔率Ｓ（％）：０．５〜５
（３） 平均孔長Ｒ（ｍｍ）：１〜５０
【００１２】
その他、香り立ちに優れ、さわやかな香りや華やかな香りを繊維製品に付与できる技術として、特許文献３〜６にはケイ酸エステル化合物を含有する繊維処理剤が開示されている。
【先行技術文献】
【特許文献】
【００１３】
【特許文献１】特開２０１０−１６３７１４号公報
【特許文献２】特開平６−５７５２１号公報
【特許文献３】特開昭５４−５９４９８号公報
【特許文献４】特開昭５４−９３００６号公報
【特許文献５】特開昭５５−１２７３１４号公報
【特許文献６】特表２００３−５２６６４４号公報
【発明の概要】
【発明が解決しようとする課題】
【００１４】
しかしながら、上記内容は絹や綿等の天然繊維からなる着物に香りを付与することはできない。
【００１５】
本発明の目的は、香りが付与された着物・浴衣等の和服の反物を提供することである。
【００１６】
本発明の他の目的は、香りが付与された着物・浴衣等の和服を提供することである。
【課題を解決するための手段】
【００１７】
本発明の第１の局面に係る着物や浴衣等の和服を製造するための反物の製造方法であって、
生地を台に地張りをする地張り工程と、
前記地張り工程後、前記台の上の前記白生地の上に型を置き、前記型の上から前記生地に対して、香り成分を付与した色糊を塗付し、染色することにより模様を付し、かつ、香りづけをする型染め工程及び香りづけ工程と、
前記型染め工程及び前記香りづけ工程後、前記型で染色した部分に糊を被せる糊伏せ工程と、
前記糊伏せ工程によって糊伏せされた部分以外の部分の前記生地を染める引き染め工程と、
前記引き染め工程後、前記生地に対して高温の蒸気を当てる蒸し工程と、
前記蒸し工程後、前記生地を水洗いする水元工程と、を含む反物の製造方法である。
【００１８】
色糊に香り成分を混合することにより、色糊自体に香りが付与される。生地に香りが付与された色糊を塗付することにより、製造された反物及びその反物によって製造された着物等の和服は、香りが付与される。
【００１９】
また、このように色糊が用いられた着物等の和服は、複数回クリーニングや洗濯がされても香りがなくなり難い。
【００２０】
本発明の第２の局面に係る着物や浴衣等の和服を製造するための反物の製造方法は、第１の局面に係る着物や浴衣等の和服を製造するための反物の製造方法であって、
前記型染め工程及び前記香りづけ工程に用いられる色糊に対する香り成分のあり合いが、１５質量％以上３０質量％以下である反物の製造方法である。
【００２１】
香り成分の色糊の全体に対する割合は、香り成分の水分量によって色糊の粘度が変化するため、また、香り成分の香りの強さによっても変化する。
【００２２】
香り成分の色糊の全体に対する割合が大きすぎると、糊としての機能が落ちる。一方、香り成分の色糊の全体に対する割合が小さすぎると、香りとしての機能が落ちる。したがって、香り成分の色糊の全体に対する割合は、１５％以上３０％以下が好ましい。
【００２３】
本発明の第３の局面に係る着物や浴衣等の和服を製造するための反物の製造方法は、第１の局面又は第２の局面に係る着物や浴衣等の和服を製造するための反物の製造方法であって、
前記香り成分が、カカオパウダー、シナモンパウダー、果汁又はバニラエッセンスである反物の製造方法である。
【００２４】
香り成分は、粉末であることが好ましい。
【００２５】
本発明の第４の局面に係る着物や浴衣等の和服を製造するための反物の製造方法は、第１の局面、第２の局面又は第３の局面に係る着物や浴衣等の和服を製造するための反物の製造方法であって、
第１の局面、第２の局面又は第３の局面に係る着物や浴衣等の和服を製造するための反物の製造方法の反物の製造方法を用いた着物や浴衣等の和服の製造方法である。
【００２６】
本発明に係る製造方法で製造された着物や浴衣等の和服は、香りが和服に付与されており、着用者は、好みの香りがする着物等を着ることができる。
【図面の簡単な説明】
【００２７】
【図１】本発明の製造方法に係る生地に対して型の上から色糊を塗付する様子。
【図２】同製造方法に係る生地から型を外す様子。
【図３】同製造方法に係る生地に対して型の上から色糊を塗付する様子。
【図４】同製造方法に係る生地から型を外す様子。
【図５】本発明に係る製造方法の実施形態に係るフローチャート。
【発明を実施するための形態】
【００２８】
以下、本発明に係る和服である着物の実施形態に関して図面を参照しながら説明する。具体的には、着物が作られる反物の製造方法の一例について説明する。
【００２９】
まず、図案・型（型紙）が作成される（ステップＳ１１、型作成工程）。
図案（模様）が描き上げられ、その模様に基づいて貫通孔を設け、型１００が作成される。
【００３０】
型１００は一色につき一枚用いられるため、使用する色の数だけ型１００が作成される。型１００が用いられることにより、同じ柄（模様）の反物を複数製造することができる。
【００３１】
振袖や訪問着などの絵羽模様の着物は上前・胸・袖などの部分ごとに型１００が作成される。なお、「絵羽模様」とは、身頃・袖・衽などに模様が切れ目なく描かれ、着物全体で一つの絵となる模様のことである。
【００３２】
次に、白生地４００の地張りが行われる（ステップＳ１２、地張り工程）。
作業台となる約６〜７ｍの木の一枚板の台２００に、白生地４００を糊で貼り付ける。柄を合わせる際にずれが生じないようにするため、白生地４００は一枚板の台２００に真っ直ぐに貼られる。
【００３３】
白生地４００は、絹や綿が好ましいが、ポリエステル等の化学繊維であってもよい。白生地４００は、着物や浴衣等の和服に用いられる繊維が好ましい。
【００３４】
次に、香り成分を有する色糊３００により、型染めが行われる（ステップＳ１３、型染め工程、香りづけ工程）。
図１に示すように、型１００の一つである第１型１１０（型紙）が白生地４００の上に置かれ、色糊３００の一つである第１色糊３１０が上から塗付され、染色される。
【００３５】
また、第１色糊３１０が第１型１１０の上から塗付されることにより、模様５００である第１模様５１０が付される。
【００３６】
型１００には模様の貫通孔が設けられており、その貫通孔部分の白生地４００部分が染色されることにより、白生地４００に対して染色かつ模様が付される。
【００３７】
星と呼ばれる印に合わせて何枚もの型１００が配置されること（型置き）により、色彩豊かな模様が染め付けられる。
【００３８】
柄（模様）によっては、型１００を置き替える作業が数百回繰り返される。染色の要となる色糊３００は、一般的には、各染工場にある色の調合表をもとに、職人の手により作られている。
【００３９】
型１００（型紙）は色の数だけ必要であり、時にはぼかしも入るため、1枚の着物に数十枚から数百枚の型１００（型紙）が用いられる。板場では、摺り、霧吹き染めなど様々な技法が用いられ、白生地４００が型染めされる。
【００４０】
色糊３００の成分は、様々であるが、例えば水性エマルジョン、増粘剤、尿素が挙げられる。
【００４１】
この色糊３００に香り成分が混合される。例えば、色糊３００にカカオパウダーを混合することにより、チョコレートの香りがする色糊３００が作られる。
【００４２】
色糊３００にカカオパウダーを混合することにより、色糊３００をチョコレートの色（カカオの色）にすることができ、色成分も付与することができる。
【００４３】
また、香り成分として、苺、桃、メロン、レモン、ミカンといった果物等の果汁を色糊３００に混合することにより、その果物の香りがする色糊３００が作られる。
【００４４】
また、香り成分としてのバニラエッセンスを色糊３００に混合することにより、バニラの香りがする色糊３００が作られる。
【００４５】
また、香り成分としてのシナモンパウダーを色糊３００に混合することにより、シナモンの香りがする色糊３００が作られる。
【００４６】
香り成分は、果汁等の液体であってもよいが、粉末が好ましい。
【００４７】
色糊３００の粘度は、香り成分の水分量やその日の気温、湿度等によって、型染めし易い粘度に調整される。
【００４８】
このように色糊３００に香り成分を混ぜることにより、仕上がった着物をクリーニングや洗濯をしても香りが残る。
【００４９】
香り成分は、色糊３００の全体に対して、１５質量％以上３０質量％以下が好ましい。
【００５０】
図１は、白生地４００に第１型１１０を置いて、色糊３００の全体に対する割合を約３０質量％とする、香り成分であるカカオパウダーを混合させた第１色糊３１０を、第１型１１０の上から塗付する様子である。
【００５１】
図２は、第１型１１０を白生地４００から外した状態を表した様子である。
【００５２】
第１型１１０の貫通孔部分が香りを有する色糊３１０によって、白生地４００が染色され、第１模様５１０が描かれている。
【００５３】
図３は、香りを有する第１模様５１０が付された白生地４００上に、第１型１１０とは別の第２型１２０を配置して、色糊３００の全体に対する割合を約１５質量％とする、香り成分であるカカオパウダーを混合させた第２色糊３２０を、第２型１２０の上から塗付し、染色することにより模様５００である第２模様５２０を付す様子である。
【００５４】
香り成分であるカカオパウダーの配合量を全体の３０質量％から１５質量％に減らすことにより、色の調節も行うことができる。
【００５５】
図４は、第２型１２０を白生地４００から外した状態を表した様子である。第１型１１０とは異なる第２型１２０を用いて、白生地４００を染色することにより、第１模様５１０とは異なる模様５００である第２模様５２０が付される。
【００５６】
図１から図４の作業を繰り返すことにより、色彩豊かな模様が染め付けられ、かつ、香りづけがされる。なお、型１００に設けられている貫通孔の模様は限定されない。
【００５７】
次に、糊伏せが行われる（ステップＳ１４、糊伏せ工程）。
型１００で染色を施した箇所へ糊が被せられ、乾燥から起こるひび割れを防ぐため、木粉をまぶす。この糊は防染の役割を果たす。糊伏せが完了すると、白生地４００は台２００から剥がされる。
【００５８】
次に、引き染めが行われる（ステップＳ１５、引き染め工程）。
白生地４００がたわまないように、伸子と呼ばれる細い竹の棒で白生地４００が広げられ、糊伏せされていない部分に刷毛によって地色が染められる。色ごとに刷毛が使い分けられ、一度に何色ものぼかしが入れられることがある。
【００５９】
次に、蒸しが行われる（ステップＳ１６、蒸し工程）。
引き染めが行われた生地（白生地４００）は、高温の蒸気が当てられ、型置き・引き染めの工程で染められた色を生地に定着させる。
【００６０】
生地に色を美しく定着させるためには、その日の気温や湿度に合わせて、生地に蒸気を当てる時間や温度などを調節する。
【００６１】
彩色だけでは、生地の上に染料が置かれただけで、繊維と染料の結合がなされていない。そのため、生地を蒸し器にいれ、蒸気の水分と熱（絹の場合は常圧で１００℃、３５分〜６０分間蒸す）によって、染料を生地に固着させる。
【００６２】
これにより、生地の色落ちを防ぐとともに、発色を促して、その染料の色相をあざやかに浮かび上がらせる。
【００６３】
その原理は、蒸気が生地に吸収されるにしたがって、生地上の染料が溶解し、繊維内部への染着が進むからであると思われる。
【００６４】
次に、水元が行われる（ステップＳ１７、水元工程）。
蒸し終わった生地は水洗いされ、糊や余分な染料が落とされる。落とされた染料などが生地へ付着しないように、多量の水が使用される。
【００６５】
具体的には、蒸し工程が終わった生地は、すぐに水洗いされ、未染着の染料、薬剤、糊等が洗い落とされる。
【００６６】
従来は、鴨川や桂川等の自然の川が利用されていたが、今では工房内に幅２ｍ〜３ｍ、長さ約１０ｍの人工の川が作られ、そこで水元が行われている。
【００６７】
特に友禅糊は糊落ちが悪く、完全に洗い落とすには、水中に一定時間つけ込む必要がある。
【００６８】
人工川に加えて、機械的なブラッシング、ジェット水流、バイブレーション、絞りロール等が用いられても良い。濡れた状態では繊維が変化を受けやすい生地のスレ、折れ、シワなどが生じないよう、繊細かつ入念に水洗いがされる。
【００６９】
この後、生地が天日干し等で乾燥され、湯のしがされる（ステップＳ１８、湯のし工程）。
なお、「湯のし」とは、反物に蒸気をあてて生地を柔軟にするのと同時に、生地のシワを伸ばし、縦糸と横糸の繊維を均等にし、幅を整える作業のことである。 
【００７０】
次に、仕上げ加工が行われ反物となる（ステップＳ１９、仕上げ加工）。
染め上げられた生地に対し、柄に合わせた金加工や刺繍が施される。染めムラなども補正され、生地全体が整えられる。絵羽模様の着物は「仮絵羽」と呼ばれる仮仕立てが行われ、製品となる。
【００７１】
次に、反物が裁断・加工・縫合され、着物が作られる（ステップＳ２０）。
【００７２】
本発明は、その趣旨を逸脱しない範囲で種々の改良、修正、又は変形を加えた態様でも実施できる。
【符号の説明】
【００７３】
１００・・・型（型紙）
２００・・・台
３００・・・色糊
４００・・・白生地（生地）
５００・・・模様
【図１】
2019070223.tif 000004
【図２】
2019070223.tif 000005
【図３】
2019070223.tif 000006
【図４】
2019070223.tif 000007
【図５】
2019070223.tif 000008